(57)【要約】【課題】本発明は、床部を構成する梁に生ずる振動を低減することができる梁接合構造を提供することを目的とする。【解決手段】コンクリート製の第一梁と、前記第一梁に架け渡され、前記第一梁に固定部材により固定されたプレキャストコンクリート製の第二梁と、前記第二梁の端面と前記第一梁の側面との間に充填された充填材と、を備えている。【選択図】図２
2020079536.tif 000002
【特許請求の範囲】
【請求項１】
コンクリート製の第一梁と、
前記第一梁に架け渡され、前記第一梁に固定部材により固定されたプレキャストコンクリート製の第二梁と、
前記第二梁の端面と前記第一梁の側面との間に充填された充填材と、
を備えた梁接合構造。
【請求項２】
前記第二梁は、根太である請求項１に記載の梁接合構造。
【請求項３】
前記第一梁の側面に接する第一片及び前記第二梁の側面に接する第二片を有した固定ブラケットと、
前記第一梁を貫通し前記固定ブラケットの前記第一片を前記第一梁に固定する第一ボルトと、
前記第二梁を貫通し前記固定ブラケットの前記第二片を前記第二梁に固定する第二ボルトと、
を備えた請求項１又は請求項２に記載の梁接合構造。
【発明の詳細な説明】
【技術分野】
【０００１】
本発明は、梁同士を接合する梁接合構造に関する。
【背景技術】
【０００２】
従来、建物の床部は、梁間に根太が架け渡されるとともに梁及び根太上に床スラブが設けられて構成されている（例えば特許文献１参照）。
【０００３】
一方、工場等では、根太上に床スラブを設けず、機械や設備機器等の振動発生源を根太に直接載置する構造が知られている。
【先行技術文献】
【特許文献】
【０００４】
【特許文献１】特開２０１８−１４５６７４号公報
【発明の概要】
【発明が解決しようとする課題】
【０００５】
しかしながら、このような構造においては、床スラブを備えないため、梁（根太）の剛性が低く、機械や設備機器等の振動発生源で発生した振動によって梁（根太）が振動しやすい。
【０００６】
本発明は、床部を構成する梁に生ずる振動を低減することができる梁接合構造を提供することを目的とする。
【課題を解決するための手段】
【０００７】
第一態様は、コンクリート製の第一梁と、前記第一梁に架け渡され、前記第一梁に固定部材により固定されたプレキャストコンクリート製の第二梁と、前記第二梁の端面と前記第一梁の側面との間に充填された充填材と、を備えている。
【０００８】
すなわち、第一梁と第二梁とは固定部材によって固定される。そして、第二梁の端面と第一梁の側面との間に充填材を充填することにより、第一梁の側面に第二梁の端部がガタツキなくしっかりと接合される。
【０００９】
これにより、第二梁の剛性が高められ、第二梁に生ずる振動を低減することができる。
【００１０】
第二態様は、前記第二梁は、根太である。
【００１１】
すなわち、根太上に床スラブを設けず、根太上に機械や設備機器等の振動発生源を直接載置する構造であっても、根太に生ずる振動を低減することができる。
【００１２】
第三態様は、前記第一梁の側面に接する第一片及び前記第二梁の側面に接する第二片を有した固定ブラケットと、前記第一梁を貫通し前記固定ブラケットの前記第一片を前記第一梁に固定する第一ボルトと、前記第二梁を貫通し前記固定ブラケットの前記第二片を前記第二梁に固定する第二ボルトと、を備えている。
【００１３】
すなわち、第一梁と第二梁とを固定する固定ブラケットは、第一梁を貫通する第一ボルトによって第一片が第一梁に固定されており、第二梁を貫通する第二ボルトによって第二片が第二梁に固定されている。
【００１４】
このため、第一梁の側面に第二梁の端部を確実に接合することができる。
【発明の効果】
【００１５】
本態様によれば、床部を構成する梁に生ずる振動を低減することができる。
【図面の簡単な説明】
【００１６】
【図１】第一実施形態に係る床部を示す要部の平面図である。
【図２】第一実施形態の要部を示す拡大図である。
【図３】図２の矢印Ａから見た一部透明図である。
【図４】図３のＢ−Ｂ線に沿った断面図である。
【図５】図３の要部を示す拡大図である。
【図６】第二実施形態の要部を示す断面図である。
【発明を実施するための形態】
【００１７】
＜第一実施形態＞
以下、本発明の第一実施形態に係る梁接合構造を図面に従って説明する。
【００１８】
図１は、建物の床部１０を示す平面図であり、本実施形態の床部１０は、床スラブを備えず、機械、設備機器、ＯＡフロア等が直接載置される。
【００１９】
鉄筋コンクリート製の柱１２の間には、第一梁の一例である大梁１４が架け渡されており、図１中、上下に配置された大梁１４の間には、第一梁の一例である小梁１６が、左右に配置された大梁１４の間に架け渡されて配置されている。
【００２０】
大梁１４は、図２及び図３に示すように、コンクリート１８に鉄筋２０が埋設された鉄筋コンクリートで構成されており、小梁１６も、コンクリートに鉄筋が埋設された鉄筋コンクリートで構成されている（図示省略）。
【００２１】
ここで、本実施形態では、鉄筋コンクリート製の大梁１４及び小梁１６を例に挙げて説明するが、これに限定されるものではない。例えば、大梁１４又は小梁１６を、鉄骨鉄筋コンクリートで構成することができ、大梁１４及び小梁１６は、コンクリート製であればよい。
【００２２】
図１に示したように、大梁１４と小梁１６との間には、第二梁の一例である根太２２が架け渡されており、根太２２は、図２及び図３に示したように、コンクリート２４に鉄筋２６が埋設されたプレキャストコンクリートで構成されている。
【００２３】
根太２２の一端部は、図３及び図４に示すように、上下に配置された固定ブラケット２８を介して大梁１４に固定されており、根太２２の他端部も、同様に固定ブラケット２８を介して小梁１６に固定されている（図示省略）。この固定ブラケット２８は、根太２２を大梁１４又は小梁１６に拘束して固定する。
【００２４】
固定ブラケット２８は、図２に示したように、Ｌ字状を成す第一片２８Ａ及び第二片２８Ｂと、第一片２８Ａの端縁及び第二片２８Ｂの端縁を連設する連設片２８Ｃとを備えている。この固定ブラケット２８は、第一片２８Ａが大梁１４（又は小梁１６）の側面に面接触されており、第二片２８Ｂが根太２２の側面に面接触されている。
【００２５】
（固定構造）
この固定ブラケット２８を用いた大梁１４と根太２２との固定構造について具体的に説明する。なお、小梁１６と根太２２との固定構造は、大梁１４と根太２２との固定構造と同様のため、説明は割愛する。
【００２６】
すなわち、大梁１４には、図２から図４に示したように、固定部材の一例である第一ボルト３０が貫通しており、大梁１４の一側面１４Ａ及び他側面１４Ｂからは、第一ボルト３０の端部が突出している。大梁１４の一側面１４Ａから突出した第一ボルト３０の端部は、一側面１４Ａ側に設けられた固定ブラケット２８の第一片２８Ａの挿通穴２８Ａ１を挿通するとともにナット３２が締め付けられている。
【００２７】
また、大梁１４の他側面１４Ｂから突出した第一ボルト３０の端部は、他側面１４Ｂ側に設けられた固定ブラケット２８の第一片２８Ａの挿通穴２８Ａ１を挿通するとともにナット３２が締め付けられている。
【００２８】
これにより、第一ボルト３０の両端部に締め付けられたナット３２によって大梁１４の一側面１４Ａ及び他側面１４Ｂには、固定ブラケット２８が固定されている。
【００２９】
根太２２の端部には、固定部材の一例である第二ボルト３４が貫通しており、根太２２の一側面２２Ａ及び他側面２２Ｂからは、第二ボルト３４の端部が突出している。根太２２の一側面２２Ａから突出した第二ボルト３４の端部は、一側面２２Ａ側に設けられた固定ブラケット２８の第二片２８Ｂの挿通穴２８Ｂ１を挿通するとともにナット３６が締め付けられている。
【００３０】
また、根太２２の他側面２２Ｂから突出した第二ボルト３４の端部は、他側面２２Ｂ側に設けられた固定ブラケット２８の第二片２８Ｂの挿通穴２８Ｂ１を挿通するとともにナット３６が締め付けられている。
【００３１】
これにより、第二ボルト３４の両端部に締め付けられたナット３６によって根太２２の一側面２２Ａ及び他側面２２Ｂには、固定ブラケット２８が固定されており、この固定ブラケット２８によって大梁１４と根太２２とが固定されている。
【００３２】
ここで、本実施形態では、大梁１４を貫通する第一ボルト３０及び根太２２を貫通する第二ボルト３４を用いて固定ブラケット２８を固定する場合を例に挙げて説明するが、これに限定されるものではない。例えば、大梁１４や根太２２に雌ねじアンカーを設けて固定ブラケット２８を固定してもよい。
【００３３】
根太２２の端面が対向する大梁１４の一側面１４Ａ及び他側面１４Ｂには、凹部が形成されており、根太２２の端面と大梁１４の側面との間には、間隙４０が形成されている。また、大梁１４の側面に凹部を形成することで、根太２２の先端側に形成される間隙４０の寸法が調整されている。そして、根太２２の端面と大梁１４の側面との間に形成された間隙４０によって、施工時に生ずる施工誤差を間隙４０の範囲内で吸収することができる。
【００３４】
根太２２の端面と大梁１４の側面との間に形成された各間隙４０には、合成樹脂製の接着剤からなる充填材４２が充填されており、この充填材４２によって大梁１４の側面と根太２２の端部とが一体化されている。これにより、根太２２と大梁１４との間の間隙４０が無くなるので、根太２２の剛性が高まり根太２２に生ずる振動が低減される。
【００３５】
この充填材４２は、コンクリートやモルタル等としてもよい。
【００３６】
（支持構造）
根太２２の一端部は、図３及び図４に示すように、支持ブラケット４４を介して大梁１４に支持されており、根太２２の他端部も、同様に支持ブラケット４４を介して小梁１６に支持されている（図示省略）。この支持ブラケット４４は、根太２２の鉛直荷重を支持する。
【００３７】
支持ブラケット４４は、図５にも示すように、Ｌ字状を成す第一片４４Ａ及び第二片４４Ｂと、第一片４４Ａの端縁及び第二片４４Ｂの端縁を連設する連設片４４Ｃとを備えている。この支持ブラケット４４は、第一片４４Ａが大梁１４の側面に面接触されており、第二片４４Ｂが根太２２の下面２２Ｃに面接触されている。
【００３８】
大梁１４の一側面１４Ａ及び他側面１４Ｂ側の支持ブラケット４４の第一片４４Ａの挿通穴４４Ａ１には、大梁１４を貫通した第三ボルト４６の端部が挿通され、第三ボルト４６の端部には、ナット４８が締め付けられている。この第三ボルト４６の両端部に締め付けられたナット４８によって大梁１４の一側面１４Ａ及び他側面１４Ｂには、支持ブラケット４４の第一片４４Ａが固定されている。
【００３９】
ここで、本実施形態では、大梁１４を貫通する第三ボルト４６を用いて支持ブラケット４４を固定する場合を例に挙げて説明するが、これに限定されるものではない。例えば、大梁１４に雌ねじアンカーを設けて支持ブラケット４４を固定してもよい。
【００４０】
根太２２の端部の下面２２Ｃ側には、雌ねじアンカー５０が埋設されている。この雌ねじアンカー５０には、大梁１４に固定された支持ブラケット４４の第二片４４Ｂの挿通穴４４Ｂ１を挿通した第四ボルト５２が捩じ込まれており、支持ブラケット４４の第二片４４Ｂが根太２２に固定されている。
【００４１】
（作用・効果）
以上の構成に係る本実施形態の作用を説明する。
【００４２】
大梁１４又は小梁１６と根太２２とは、固定部材を構成する固定ブラケット２８、第一ボルト３０、及び第二ボルト３４によって固定される。そして、根太２２の端面と大梁１４又は小梁１６の側面との間の間隙４０には、充填材４２が充填されており、大梁１４又は小梁１６の側面に根太２２の端部がガタツキなくしっかりと接合される。
【００４３】
これにより、根太２２の剛性が高められ、根太２２に生ずる振動を低減することができる。したがって、床部１０を構成する梁に生ずる振動を低減することができる。
【００４４】
このように構成された本実施形態では、大梁１４と小梁１６との間に架け渡される梁が根太２２で構成されており、根太２２上には、床スラブが設けられず、機械や設備機器等の振動発生源が直接根太２２上に載置される。
【００４５】
ここで、本実施形態では、根太２２上に床スラブを形成しないため、根太２２の剛性が低くなりがちであり、根太２２に振動が生ずることが懸念される。
【００４６】
そこで、本実施形態では、固定部材で固定された根太２２と大梁１４又は小梁１６との間隙４０に充填材４２を充填することで、大梁１４又は小梁１６に根太２２の端部をガタツキなくしっかりと接合することができる。このため、根太２２上に直接載置された機械や設備機器等の振動発生源から振動が伝達されても、根太２２に生ずる振動を低減することができる。
【００４７】
また、大梁１４又は小梁１６と根太２２とを固定する固定ブラケット２８は、大梁１４又は小梁１６を貫通する第一ボルト３０によって第一片２８Ａが大梁１４又は小梁１６に固定されている。また、固定ブラケット２８は、根太２２を貫通する第二ボルト３４によって第二片２８Ｂが根太２２に固定されている。
【００４８】
このため、大梁１４及び小梁１６の側面に根太２２の端部を確実に接合することができる。
【００４９】
なお、本実施形態では、根太２２上に床スラブを設けない床部１０を例に挙げて説明したが、これに限定されるものではない。例えば、根太２２上に床スラブを設けてもよく、この場合であっても、根太２２の剛性を高めることができるので、根太２２の振動低減効果を高めることができる。
【００５０】
＜第二実施形態＞
図６は、第二実施形態を示す図であり、第一実施形態と同一又は同等部分に付いては、同符号を付して説明を割愛するとともに、異なる部分に付いてのみ説明する。
【００５１】
図６は、大梁１４と根太２２との接合部分を示す拡大図であり、大梁１４の一側面１４Ａ側には、袋ナット６０が埋設されている。
【００５２】
大梁１４の一側面１４Ａに面接触した支持ブラケット４４の第一片４４Ａには、挿通穴４４Ａ１に第五ボルト６２が挿通されており、第五ボルト６２は、袋ナット６０に捩じ込まれている。これにより、根太２２を支持する支持ブラケット４４の第一片４４Ａが大梁１４に固定されている。
【００５３】
このような構成であっても、根太２２の鉛直荷重を支持ブラケット４４で支持することができる。
【符号の説明】
【００５４】
１０   床部
１４   大梁
１４Ａ 一側面
１４Ｂ 他側面
１６   小梁
２２   根太
２８   固定ブラケット
２８Ａ 第一片
２８Ｂ 第二片
３０   第一ボルト
３４   第二ボルト
４０   間隙
４２   充填材
【図１】
2020079536.tif 000003
【図２】
2020079536.tif 000004
【図３】
2020079536.tif 000005
【図４】
2020079536.tif 000006
【図５】
2020079536.tif 000007
【図６】
2020079536.tif 000008